(57)【要約】【課題】リモートコントローラによる操作を簡易化し、簡便かつ使いやすいユーザインタフェースを実現した放送受信装置を提供すること。【解決手段】図３のページ切換キー１７ｉが押下されたのであれば、電子番組表のページを切り換える。例えばページ切換キー１７ｉの［Ｖ］ボタンが押下されたのであれば、制御部５６は電子番組表のページを時間方向に切り換える。これにより図４の画面から図６に示すような画面が表示される。両図を比較すると、図４に対して図６のほうが時間的に未来の内容を示す。このように、［Ｖ］ボタンは時間を進ませる方向のページ切換を行う。またボタン［∧］は、時間を戻すようにページ切換を行う。［＜］、［＞］は、チャンネル表示に関するページ切換を行う。このように、番組表など縦・横構成のアプリケーションにおいては、ページ切換キー１７ｉを縦方向、および横方向へのページ切換キーとして利用することができる。【選択図】      図５
2006094410.tif 000002
【特許請求の範囲】
【請求項１】
画面内における異なる方向にそれぞれ対応する複数のカーソルボタンからなるカーソルキーを備えるリモートコントローラを介して操作される放送受信装置において、
前記カーソルボタンと異なる複数の操作ボタンからなる第２カーソルキーを前記リモートコントローラが備える場合に、
前記第２カーソルキーの操作を検出する検出手段と、
前記画面に表示される内容に応じて、前記第２カーソルキーの操作ボタンに対応する方向へのページ切換を行う表示制御手段とを具備することを特徴とする放送受信装置。
【請求項２】
前記表示制御手段は、縦方向および横方向に分割されたテーブル情報が前記画面に表示されている状態においては、前記第２カーソルキーの操作ボタンに対応して縦方向および横方向へのページ切換を行うことを特徴とする請求項１に記載の放送受信装置。
【請求項３】
前記表示制御手段は、複数のオブジェクトの一覧が前記画面に表示されている状態においては、前記第２カーソルキーの操作ボタンに対応して前記複数のオブジェクトの先頭または最終に対応する特定オブジェクトを選択した状態を前記画面に表示することを特徴とする請求項１に記載の放送受信装置。
【請求項４】
さらに、外部機器が接続されている場合に、前記複数の操作ボタンを当該外部機器の制御コマンドに対応付け、前記第２カーソルキーの操作ボタンに対応するコマンドを当該外部機器に投入するコマンド投入手段を具備することを特徴とする請求項１に記載の放送受信装置。
【請求項５】
画面内における異なる方向にそれぞれ対応する複数のカーソルボタンからなるカーソルキーを備えるリモートコントローラを介して操作される放送受信装置において、
前記カーソルボタンと異なる複数の操作ボタンからなる第２カーソルキーを前記リモートコントローラが備える場合に、
前記第２カーソルキーの操作を検出する工程と、
前記画面に表示される内容に応じて、前記第２カーソルキーの操作ボタンに対応する方向へのページ切換を行う工程とを具備することを特徴とする放送受信方法。
【発明の詳細な説明】
【技術分野】
【０００１】
この発明は、例えばデジタルテレビジョン放送等を受信する放送受信装置の改良に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
特許文献１には、リモコンにより操作するグラフィックユーザーインタフェース（ＧＵＩ）画面の設計の自由度を高めると共に、ユーザーの操作を簡易化し得るリモコンシステムが開示される。  
特許文献２には、複数の操作ボタンを不要にするとともに、複数の操作対象を手指１本で円滑に操作できるようにして、操作性の向上と装置の小型化を図ったポインティング入力装置及びこの入力装置を備えた電子機器が開示される。
【特許文献１】特開２０００−１１２６１４号公報
【特許文献２】特開平９−１３４２４８号公報
【発明の開示】
【発明が解決しようとする課題】
【０００６】
ところで、このように、複数のデジタル記録機器をネットワーク接続可能としたデジタル放送受信装置においては、各デジタル記録機器に記録されている番組をユーザが容易に管理することができ、所望の記録番組を迅速に検索して再生できるようにすることが重要となる。
【０００７】
このために上記のように複数のデジタル記録機器（所謂外部機器）をネットワーク接続可能としたデジタル放送受信装置においては、受信装置に接続されている外部機器を、受信装置の画面を見ながら、制御できるようにすることが望まれる。この要望を達成するために、受信装置の画面に所謂操作パネルと言うグラフィカル・ユーザ・インターフェース（ＧＵＩ）が表示される。ユーザは、操作パネルを見ながらリモートコントローラを操作する。ユーザは、カーソルキーを操作し、画面上のカーソルを、画面上の所望の操作キー上に移動させ、決定キーを操作する。これにより、所望の動作モードが受信装置及び外部機器に設定される。
【０００８】
しかしながら、ＧＵＩを表示しリモートコントローラを操作する場合、カーソルキーの操作によるカーソル移動、決定キーの操作という段階的な操作が必要であるために、操作が煩雑である。特に、番組表などのアプリケーションやＨＤＤ（ハードディスクドライブ）へのデジタル録画など、ユーザインタフェースは近年の放送受信機の多機能化と相俟ってますます複雑になってきている。これに対して既存の装置では、リモコンのカーソルボタン、決定ボタン、戻るボタンを基本とする操作に留まり、近年の複雑なインタフェースに対しては非力になってきていると言わざるを得ない。  
この発明は上記事情を考慮してなされたもので、その目的は、リモートコントローラによる操作を簡易化し、簡便かつ使いやすいユーザインタフェースを実現した放送受信装置を提供することを目的とする。
【課題を解決するための手段】
【０００９】
上記目的を達成するために本発明の一態様によれば、画面内における異なる方向にそれぞれ対応する複数のカーソルボタンからなるカーソルキーを備えるリモートコントローラを介して操作される放送受信装置において、前記カーソルボタンと異なる複数の操作ボタンからなる第２カーソルキーを前記リモートコントローラが備える場合に、前記第２カーソルキーの操作を検出する検出手段と、前記画面に表示される内容に応じて、前記第２カーソルキーの操作ボタンに対応する方向へのページ切換を行う表示制御手段とを具備することを特徴とする放送受信装置が提供される。
【００１０】
このような手段を講じることにより、リモートコントローラが第２カーソルボタンを備えている場合に、その機能を拡張することができる。例えば複数のページからなる番組表が表示されている状態で第２カーソルキーが操作されると、ページ切換を行うことができる。これにより一つのカーソルキーで画面内カーソルを逐一動かしてページを移動する場合に比べ、隣のページに一気にジャンプできるようになるので、ユーザの操作を簡易化することが可能になる。
【発明の効果】
【００１１】
本発明によれば、リモートコントローラによる操作を簡易化し、簡便かつ使いやすいユーザインタフェースを実現した放送受信装置を提供することができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また地上波アナログ信号を受信するアナログチューナ６８も設けられている。アナログチューナ６８で受信された信号は、アナログ復調器６９で復調され信号処理部４７に出力される。
【００２７】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３０】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３１】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３２】
また、上記音声処理部５３は、入力されたデジタルの音声信号を、前記スピーカ１５で再生可能なフォーマットのアナログ音声信号に変換し、スピーカ１５に出力して音声再生させる。
【００３３】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３４】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３５】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３６】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３７】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３８】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３９】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４０】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４１】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４２】
図４は、デジタルテレビジョン放送受信装置１１に表示される電子番組表の一例を示す図である。この電子番組表は、水平方向に６つの放送局（チャンネル）を配列し、垂直方向に５時間分の時間枠を配列して、番組を表示している。
【００４３】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。
【００４４】
図５は、図２の制御部５６の処理機能を示すフローチャートである。図５のステップＳ１において、制御部５６はリモートコントローラ１７のキー操作を待ち受ける。キー操作がなされると、制御部５６はカーソルキー１７ｆが操作されたか、またはページ切換キー１７ｉが操作されたかを判定する（ステップＳ２）。カーソルキー１７ｆであれば、制御部５６は図４の画面内でカーソルを移動させる。図４におけるカーソルの位置をハッチングで示す（番組Ｊ２）。
【００４５】
一方、ステップＳ２でページ切換キー１７ｉが押下されたのであれば、制御部５６は電子番組表のページを切り換える（ステップＳ４）。例えばページ切換キー１７ｉの［Ｖ］ボタンが押下されたのであれば、制御部５６は電子番組表のページを時間方向に切り換える。これにより図４の画面から図６に示すような画面が表示される。両図を比較すると、図４に対して図６のほうが時間的に未来の内容を示す。このように、［Ｖ］ボタンは時間を進ませる方向のページ切換を行う。またボタン［∧］は、時間を戻すようにページ切換を行う。［＜］、［＞］は、チャンネル表示に関するページ切換を行う。このように、番組表など縦・横構成のアプリケーションにおいては、ページ切換キー１７ｉを縦方向、および横方向へのページ切換キーとして利用することができる。
【００４６】
また、リモートコントローラ１７のfaceネットキー１７ｊが操作されると、制御部５６は、faceネット（ナビゲーション）を起動させ、図７に示すようなナビゲーションメニューを映像表示器１４に表示させる。
【００４７】
このナビゲーションメニューでは、「テレビ」、「録画番組」、「写真」、「インターネット」、「Ｅメール」の５つの項目が、リモートコントローラ１７のカーソルキー１７ｆの操作により選択可能に設けられる。選択された項目は、画面上では他の項目と色を変えて表示されるが、図７では、「録画番組」が選択された状態をハッチングにより示している。
【００４８】
この状態で、リモートコントローラ１７の決定キー１７ｇが操作されると、制御部５６は、図８に示すように、最近録画した番組の一覧を映像表示器１４に表示させる。この番組一覧では、デジタルテレビジョン放送受信装置１１に接続された各種の録画機器に記録されている番組を示す情報として、タイトル、放送チャンネル、記録日時、曜日、時間、ジャンル等が表示されている。
【００４９】
この最近録画した番組の一覧では、記録した録画機器を問わず、最新の録画番組から溯って最大で３５個の番組を示す情報を一覧表示することが可能である。図８では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。このようにリスト表示アプリケーションにおいては、ページ切換キー１７ｉを縦方向、または横方向へのページ切換キーとして利用することができる。
【００５０】
図９は、図２の制御部５６の第２の処理機能を示すフローチャートである。このフローチャートは、デジタルテレビジョン放送受信装置１１の画面に複数のオブジェクトが表示されている場合に、先頭のオブジェクト、または最終のオブジェクトにジャンプする場合に実施される。ここでは、オブジェクトとしてJPEG(Joint Photographic Experts Group)フォーマットの静止画像（写真）を例とする。
【００５１】
図９のステップＳ１１において、制御部５６はリモートコントローラ１７のページ切換キー１７ｉの操作を待ち受ける。キー操作がなされると、制御部５６は［∧］ボタン、または［Ｖ］ボタンのいずれが押下されたかを判定する（ステップＳ１２）。［∧］ボタンであれば、画面中に複数配列される画像のうち先頭の画像にジャンプする（ステップＳ１３）。すなわち先頭の画像が選択された状態に移行する。［Ｖ］ボタンが押下されたのであれば、最終の画像にジャンプする（ステップＳ１４）。
【００５２】
図１０に示すように、デジタルテレビジョン放送受信装置１１はメモリカード１９などから取得した写真の一覧を表示する機能を持つ。例えば写真８が選択されている状態で［∧］ボタンが押下されれば写真０が選択された状態に移行する（図中実線矢印）。［Ｖ］ボタンが押下されれば、写真１１が選択された状態に移行する（図中点線矢印）。このように、複数のオブジェクトの一覧を表示するアプリケーションにおいては、ページ切換キー１７ｉを頭出しなどの機能キーとして利用することができる。
【００５３】
図１１は、図２の制御部５６の第３の処理機能を示すフローチャートである。図１１のステップＳ２１において、制御部５６はリモートコントローラ１７のページ切換キー１７ｉの操作を待ち受ける。キー操作がなされると、制御部５６は操作対象となる制御機器を判別する（ステップＳ２２）。制御機器と図１に示すＨＤＤ２７、ＰＣ２８などの外部機器であり、ここでは例としてＨＤＤ２７、および図示しないＤ−ＶＨＳ（Digital-VHS）を採り上げる。
【００５４】
制御部５６は、判別された制御機器に応じた制御コマンドをハブ２６を介してそれぞれの機器に投入する。Ｄ−ＶＨＳであれば、［∧］、［Ｖ］、［＞］、［＜］ボタンがそれぞれ再生／一時停止、停止、コマ送り、巻き戻しに対応する。制御機器がＨＤＤ２７であれば、［＞］、［＜］ボタンがそれぞれ早送り、早戻しに対応する。このように、ページ切換キー１７ｉは外部機器を制御するためのリモコンキーとしても使用できる。このようにすれば、各外部機器専用のリモコン紺端末を用いずとも良くなるので、使い勝手が良くなる。このほかページ切換キー１７ｉは、より拡張した形態として、アプリケーション毎に必要とされる機能を割り当てて利用することもできる。
【００５５】
なお、本発明は上記実施の形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５６】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】図１のデジタルテレビジョン放送受信装置１１に表示される電子番組表の一例を示す図。
【図５】図２の制御部５６の第１の処理機能を示すフローチャート。
【図６】図４の画面からページ切換キー１７ｉの［Ｖ］ボタンが押下された場合に表示される画面の一例を示す図。
【図７】ナビゲーション画面の一例を示す図。
【図８】最近録画した番組の一覧画面の一例を示す図。
【図９】図２の制御部５６の第２の処理機能を示すフローチャート。
【図１０】図１のデジタルテレビジョン放送受信装置１１の写真再生機能および頭出し機能を説明するために示す図。
【図１１】図２の制御部５６の第３の処理機能を示すフローチャート。
【符号の説明】
【００５７】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ
【図１】
2006094410.tif 000003
【図２】
2006094410.tif 000004
【図３】
2006094410.tif 000005
【図４】
2006094410.tif 000006
【図５】
2006094410.tif 000007
【図６】
2006094410.tif 000008
【図７】
2006094410.tif 000009
【図８】
2006094410.tif 000010
【図９】
2006094410.tif 000011
【図１０】
2006094410.tif 000012
【図１１】
2006094410.tif 000013